(57)【要約】【課題】構成が簡素で写真等を豪華に見せ得る下げ飾りを廉価に提供【解決手段】環体１０と、環体１０の内外を連通するように環体１０を巡る向きに備えられている差込孔１１から、差込孔１１に連続して環体１０の内周を巡る向きに備えられている受け溝１２に対して側縁部２０ａを入れ込むように抜き差し可能に差し込まれて環体１０の環内を塞ぐ装飾体２０と、環体１０の差込孔１１に沿って備えられており且つ連結具３０を差込孔１１又は差込孔１１の上方を幅側にわたるように着脱可能に引っ掛け得る引っ掛け部１３とを備えている。【選択図】図１
2007075409.tif 000002
【特許請求の範囲】
【請求項１】
環体と、
この環体の内外を連通するように当該環体を巡る向きに備えられている差込孔から、当該差込孔に連続して当該環体の内周を巡る向きに備えられている受け溝に対して側縁部を入れ込むように抜き差し可能に差し込まれて当該環体の環内を塞ぐ装飾体と、
前記環体の差込孔に沿って備えられており、しかも、連結具を当該差込孔又は該差込孔の上方を幅側にわたるように着脱可能に引っ掛け得る引っ掛け部とを備えていることを特徴とする下げ飾り。
【請求項２】
前記引っ掛け部が、差込孔の幅方向にある環体部に向き合って備えられている一対のリング状部であることを特徴とする請求項１に記載の下げ飾り。
【発明の詳細な説明】
【技術分野】
【０００１】
この発明は、肖像写真等の適宜の装飾体を環体内に抜け出さないように差し入れセットし、また、必要に応じて差し替えセットし得る簡易な構成の下げ飾りを廉価に提供するものである。
【背景技術】
【０００２】
携帯電話のストラップに吊したケース類、キーホルダーに連結したケース類、学生鞄に吊り下げたケース類、バッグに吊り下げたケース類、ディバックに吊したケース類、ペンダント等の所謂容器状物に、記念のスナップ写真や、恋人の写真や、アイドルの写真等を納め入れて携行するケースが多く見受けられる。
【０００３】
かかる写真等を収納携行する容器状のケース類は、構成が複雑となって、その構成部品数が多くなることから製作コストが割高となる不具合があり、また、納め入れられた写真等を外部から都合よく視認し得るようにするためには、さらに多くの製作コストを要する不具合があった。
【０００４】
かかる点から、例えば、金属プレートの全周縁を一方の面側で突き出させるように当該面側に凹部を設け、この凹部内に写真と当該写真を保護する透明のプレスチックプレートとを嵌め入れたものがある。
【０００５】
また、金属プレートの一面側にプレス等で凹部を構成し、この凹部内に写真を納め入れると共に当該写真を覆うように当該凹部に透明のプラスチックプレートを納め入れ接着したものがある。
【０００６】
しかしながら、このような金属プレートの凹部に写真を直接嵌め入れたり、直接納め入れ接着したものにあっては、飾り手段としての意匠性に難があり、また、写真の取り替え使用に無理があった。
【０００７】
かかる飾り手段としての意匠性を備え、しかも、写真の取り替え使用をなし得る基台が特許文献１の図２に示されている。この特許文献１では、写真の挿入される溝と当該挿入写真の表れる窓とを備えた基台が開示されており、この溝の開放側から写真を挿入して、窓に表れた写真を外部から容易に視認し得るようにしてある。
【特許文献１】実登３０４２７２５
【発明の開示】
【発明が解決しようとする課題】
【０００８】
しかしながら、この特許文献１に開示されている基台は、窓が一方の側にのみ開口されており、当該基台をブレスレットやヘアバンドに用いる場合はともかく、各種の下げ飾りとして用いるには不適当であった。また、この特許文献１に開示されている基台は、使用写真を適宜交換し得るものの、この基台に挿入した写真が装着使用時に抜け落ちてしまう不具合を避ける手段を有しないものであった。
【課題を解決するための手段】
【０００９】
この発明は、前記課題を解決するために、環体と、この環体の内外を連通するように当該環体を巡る向きに備えられている差込孔から、当該差込孔に連続して当該環体の内周を巡る向きに備えられている受け溝に対して側縁部を入れ込むように抜き差し可能に差し込まれて当該環体の環内を塞ぐ装飾体と、前記環体の差込孔に沿って備えられており、しかも、連結具を当該差込孔又は該差込孔の上方を幅側にわたるように着脱可能に引っ掛け得る引っ掛け部とを備えていることを特徴とする下げ飾りとしてある。
【００１０】
このように構成される下げ飾りにあっては、装飾体を環体の差込孔からたんに差し入れることのみによって当該環体における環内を装飾体で塞いだ下げ飾りを容易に構成することができ、また、当該装飾体を容易に入れ替え得ることから使用目的に対応して趣の異なる下げ飾りを適宜構成用いることができる。
【００１１】
また、環体に差し入れられる装飾体は当該環体に連結具を連結することによって、抜けだし方向に向けた動きが封じられ、安定した差し入れ状態に維持することができる。
【００１２】
また、このように装飾体の差し入れ及び交換が容易であり、しかも、差し入れた装飾体が環体に安定に保持され得る下げ飾りを簡易な構造によって構成できる特長を有している。
【００１３】
さらに、前記課題を解決するために、前記引っ掛け部が、差込孔の幅方向にある環体部に向き合って備えられている一対のリング状部であることを特徴とする下げ飾りにあっては、環体に差し入れた装飾体の抜け出しがより確実に防がれる特長を有している。
【発明の効果】
【００１４】
この発明は、環体に装飾体を差し入れて面的な広がりを備えた下げ飾りを構成できると共に、当該環体に差し入れた装飾体の抜け出しを簡易な構成で防ぎ、装飾体を適宜差し替えて用い得る下げ飾りを廉価に提供することができる。
【発明を実施するための最良の形態】
【００１５】
以下、図１〜図４に基づいて、この発明を実施するための最良の形態に係る下げ飾りＡについて説明する。
【００１６】
なお、ここで図１は当該発明を実施するための最良の形態に係る下げ飾りＡを用いている状態を斜め上方から見て、図２は、下げ飾りＡの部品を分離して当該下げ飾りＡの取付対象物の一部と共に斜め上方から見て、図３は、当該下げ飾りＡを取付対象物に組み付けた状態の要部を断面して正面側から見て、さらに、図４は、この断面状態を側面側から見て示している。
【００１７】
この発明を実施するための最良の形態に係る下げ飾りＡは、環体１０と、この環体１０の内外を連通するように当該環体１０を巡る向きに備えられている差込孔１１から、当該差込孔１１に連続して当該環体１０の内周を巡る向きに備えられている受け溝１２に対して側縁部２０ａを入れ込むように抜き差し可能に差し込まれて当該環体１０の環内を塞ぐ装飾体２０と、前記環体１０の差込孔１１に沿って備えられており、しかも、連結具３０を当該差込孔１１又は該差込孔１１の上方を幅側にわたるように着脱可能に引っ掛け得る引っ掛け部１３とを備えていることを特徴とする下げ飾りＡとしてある。
【００１８】
ここで下げ飾りＡを構成する環体１０は、棒状材や板状材等の適宜の環構成材１０’によって構成してあり、いかなる形態の環体１０であってもよく、例えば、円環、角環、楕円形環、ハート型環等の各種形状の環体とすることができる。
【００１９】
また、環体１０を巡る向きに直交する環構成材１０’の断面形状は、いかなる形状のものであってもよく、例えば、この断面形状を円形、多角形、楕円形、ハート型その他の適宜の形状とすることができる。
【００２０】
また、この環構成材１０’は、環体１０の内外方向ｘ（環構成材１０’で囲まれた内側空間と、当該内側空間に対応するように当該環構成材１０’によって仕切られた外側空間との向きにある方向）に向けた材幅と、環の表裏方向ｙ（環体１０で囲まれた空間のなす仮想の表面と仮想の裏面の向きにある方向）に向けた材幅とを、いかなる比率で構成してあってもよい。例えば、当該環構成材１０’を、環体１０の内外方向に向けた材幅を広目に構成することによって当該環体１０における環構成材１０’で囲まれた面が幅広の環構成材１０’面を備えた構成とすることができる。また、例えば、環構成材１０’を、環体１０の表裏方向に向けた材幅を広目に構成することによって当該環体１０における外周面が幅広の環構成材１０’面を備えた構成とすることができる。
【００２１】
なお、前記差込孔１１は、環体１０を内外方向ｘに連通する態様（環体１０で囲まれた内側空間を構成する環部と、当該内側空間に対応するように当該環体１０によって仕切られた外側空間に接する環部とを連通する態様）で、当該環体１０を巡る向きに備えられておれば、いかなる形態のものであってもよい。
【００２２】
かかる環体１０に備えられる受け溝１２は、前記差込孔１１から当該環体１０内に差し入れられる装飾体２０が、この環体１０の環内を塞ぐように差し込み得る環状の空間を構成するようにしてあり、より具体的には、前記差込孔１１に連続して環体１０の内周を巡る向きに備えられている受け溝１２が、この差し込み装飾体２０の両側にあって互いに向き合っている受け溝１２間の間隔を、装飾体２０の差し込まれる当該差込孔１１に連続している位置で互いに向き合っている受け溝１２間の間隔よりも拡がらないように構成してある。
【００２３】
また、前記差込孔１１に沿って備えられる引っ掛け部１３は、連結具３０を当該差込孔１１又は該差込孔１１の上方を幅側にわたるように着脱可能に引っ掛け得るものであれば、いかなる形態のものであってもよく、当該環体１０の環構成材１０’に引っ掛け用の孔を設けるようにしてあっても、また、この環構成材１０’から外方に突き出すように引っ掛け部１３を構成するようにしてあってもよい。
【００２４】
また、この環構成材１０’から外方に突き出すように備えられる引っ掛け部１３は、当該環構成材１０’と一体に構成してあっても、また、当該環構成材１０’と別に用意された引っ掛け手段としての、例えば、リング等を当該環構成材１０’に一体的に固着するようにしてあってもよい。
【００２５】
また、前記連結具３０は、前記引っ掛け部１３に対して着脱可能に引っ掛けられ得るものであれば、いかなる形態のものであってもよく、例えば、なすかん、まるかん、弾性リング、各端部を密着状態にしたリング等の適宜の連結具を用いることができる。また、かかる連結具３０は、当該環体１０を、例えば、携帯電話用ストラップ、ぺンダント用チェーン、ネックレス、ブレスレッド、各種吊り下げ具、バッグやランドセルやディバック等の各種物品等に連結するなどして用いられる。
【００２６】
また、前記装飾体２０は、前記環体１０内に差し入れられて飾り機能を奏し得るものであれば、いかなるものであってもよく、また、いかなる形状のものであってもよい。
【００２７】
かかる装飾体２０は、前記差込孔１１から側縁部２０ａを前記環体１０の受け溝１２に入れ込み得るものであれば、単体で構成してあっても、積層体で構成してあってもよい。また、例えば、恋人の写真や、アイドルの写真や、各種キャラクター画等を互いに背中合わせの状態にして当該装飾体２０を構成したり、このように背中合わせに用意された写真等を透明のプラスチックシートや、プラスチックプレート間に挟み入れて当該装飾体２０を構成する等適宜の装飾体を構成して用いることができる。
【００２８】
このように構成される下げ飾りＡにあっては、装飾体２０を環体１０の差込孔１１からたんに差し入れることのみによって当該環体１０における環内を装飾体２０で塞いだ下げ飾りＡを容易に構成することができ、また、当該装飾体２０を容易に入れ替え得ることから使用目的に対応して趣の異なる下げ飾りＡを構成用いることができる。
【００２９】
また、環体１０に差し入れられる装飾体２０は当該環体１０に連結具３０を連結することによって、抜けだし方向に向けた動きが封じられ、安定した差し入れ状態に維持することができる。
【００３０】
また、このように装飾体２０の差し入れ及び交換が容易であり、しかも、差し入れた装飾体２０が環体１０に安定に保持され得る下げ飾りＡを簡易な構造によって構成できる特長を有している。
【００３１】
さらに、前記構成に係る下げ飾りＡにあって、前記引っ掛け部１３を、差込孔１１の幅方向にある環体部１０ａに向き合って備えられている一対のリング状部とすることによって、環体１０に差し入れた装飾体２０の抜け出しがより確実に防がれる。
【００３２】
ついで、図１〜図４に示される典型的な下げ飾りＡについて具体的に説明する。
【００３３】
この図示例に係る下げ飾りＡは、環体１０と、この環体１０の内外を連通するように当該環体１０を巡る向きに備えられている差込孔１１から、当該差込孔１１に連続して当該環体１０の内周を巡る向きに備えられている受け溝１２に対して側縁部２０ａを入れ込むように抜き差し可能に差し込まれて当該環体１０の環内を塞ぐ装飾体２０と、前記環体１０の差込孔１１に沿って備えられており、しかも、連結具３０を当該差込孔１１又は該差込孔１１の上方を幅側にわたるように着脱可能に引っ掛け得る引っ掛け部１３とを備えた構成としてある。
【００３４】
この図示例に係る環体１０は、ほぼ断面が四角形状をなす環構成材１０’で構成してあり、典型的な意匠態様として当該環体１０をハート型にしてある。
【００３５】
この結果、当該環体１０の外周面と、この外周面から直角に環体１０の内側に連続している面、すなわち、当該環体１０の構成する内部空間の仮想の表側面を含む環体１０の面と裏側面を含む環体１０の面とがそれぞれ板状面をなすようにしてあり、当該環体１０内に差し入れられた装飾体２０が重厚な厚みを有する額縁状環体１０で囲まれた豪華な趣をなすようにしてある。
【００３６】
かかるハート型の上部側、すなわち、二個の連続した山状部の存する側に、環体１０を内外方向ｘ（環構成材１０’で囲まれた内側空間と、当該内側空間に対応するように当該環構成材１０’によって仕切られた外側空間とを連通する方向）に連通し、しかも、当該環体１０を巡る向きに長い差込孔１１が設けてある。
【００３７】
そして、この差込孔１１に連続して一方差込孔１１から他方差込孔１１に到るように当該環体１０の内周を巡る向きに受け溝１２が備えられており、この受け溝１２に装飾体２０の側縁部２０ａが差し込まれるようにしてある。かかる受け溝１２は、前記各差込孔１１に連続する位置にある互いに向き合っている各受け溝１２間の間隔に対して、この差込孔１１から遠い位置にある各受け溝１２間の間隔が拡がらない構成としてあり、この図示例にあっては、前記差込孔１１に連続した位置にある各受け溝１２が当該差込孔１１から遠ざかるにつれて漸次近づくようにして、ハート型の下端部で両者が連続する構成としてある。
【００３８】
かかるハート型の環体１０の上部側、すなわち、二個の連続した山状部の存する側の中央部、この図示例にあっては二個の連続する山状部の連続している谷状部の上側である環体部１０ａに、当該環体１０の環構成材１０’と一体をなすように引っ掛け部１３を構成するリング部１３ａが設けてある。この図示例にあっては、当該環体１０の環構成材１０’における前記差込孔１１によって二分されている一方の環構成材１０’に第１のリング部１３ａを、他方の環構成材１０’に前記第１のリング部１３ａに向き合った第２のリング部１３ａを設けてあり、この各リング部１３ａに連結具３０を差し入れることによって、当該連結具３０が差込孔１１の幅側をわたるようにセットし得るようにしてある。
【００３９】
この図示例にあっては、環体１０に備えられる差込孔１１が、左右対称のハート型の環体１０における前記谷状部のリング部１３ａを中心として左右に同一の長さで設けてあり、この差込孔１１に連続して当該ハート型の環体１０の内周で互いに向き合うように備えられている各受け溝１２間の間隔が当該差込孔１１に連続した前記各受け溝１２間の間隔よりも拡がらない構成としてあり、この差込孔１１から差し込まれる装飾体２０の側縁部２０ａが都合良く当該受け溝１２に入れ込まれる構成としてある。
【００４０】
かかる引っ掛け部１３を備えた環体１０は、当該引っ掛け部１３を一体に備えたものとして、例えば、各種金属や合成樹脂を用いた型成形によって構成してあっても、また、環体１０を型成形によって構成した後、引っ掛け部１３を当該環体１０に一体的に設けるようにしてあってもよく、例えば、アルミダイキャストを用いた各種金属の鋳込み成形によって構成することができる。
【００４１】
この環体１０に差し入れられる装飾体２０は、この図示例にあっては、前記ハート型の環体１０に都合良く差し入れられて、当該環体１０の環内を塞ぐ形状、この図示例にあっては、当該環体１０の受け溝１２と当該受け溝１２に連続されている前記差込孔１１のなす形状にほぼ一致する形状に構成してある。
【００４２】
かかる装飾体２０は、この図示例にあっては、写真のプリント側を外側にして互いに背中合わせ状態に重ね合わされた二枚の写真を、ヒンジ部で二つ折りにされた状態でハート型状とされている透明のプラスチックプレート間に挟み入れた状態で、前記差込孔１１から環体１０内に差し入れ、その側縁部２０ａが、前記受け溝１２内に都合良く納まるようにしてある。
【００４３】
このように装飾体２０を環体１０に差し入れた状態で、連結具３０を前記一対の各リング部１３ａに通し、この連結具３０によって差込孔１１に差し入れられている前記装飾体２０の抜け出しを防ぐようにしてある。
【００４４】
かかる連結具３０として、この図示例にあっては、弾性を有する板状金属片を環状に丸め、その板状金属片における互いの端部３０ａ、３０ｂが重なり合った状態とし、しかも、その板状金属片の一方の端部３０ａに対して他方の端部３０ｂが常時押しつけられるように付勢された構成の連結具３０としてある。
【００４５】
このように板バネ状に他方の端部３０ａに付勢されている当該連結具３０の端部３０ｂを当該付勢に抗して移動し、他方端部３０ａとの間に差し入れ隙間を構成し、この隙間を利用して当該連結具３０を前記差込孔１１のほぼ中央に位置している引っ掛け部１３としての各リング部１３ａに挿通し、この差込孔１１のほぼ中央部分で当該差込孔１１の上方を、その幅側で当該連結具３０の板面によって塞ぎ、前記装飾体２０の抜け出しを確実に防ぐようにしてある。
【００４６】
また、この連結具３０の前記弾性端部３０ａ、３０ｂの開きだしを用いて、当該連結具３０に各種物品、例えば、携帯メール用ストラップ４０の環４０ａを連結し、当該下げ飾りＡを備えた携帯メール用ストラップとしたり、例えば、キーホルダーを構成する環に当該連結具３０で下げ飾りＡを連結して下げ飾りＡ付きキーホルダーとするなど各種用途に用いることができる。
【図面の簡単な説明】
【００４７】
【図１】典型的な下げ飾りを用いている状態を示す斜視図
【図２】同下げ飾りの要部部品を分離して、取付対象物の一部と共に示す斜視図
【図３】同下げ飾りを取付対象物の一部と共に要部を断面して示す正面図
【図４】同下げ飾りを取付対象物の一部と共に要部を断面して示す側面図
【符号の説明】
【００４８】
Ａ  下げ飾り
１０  環体
１１  差込孔
１２  受け溝
１３  引っ掛け部
２０  装飾体
３０  連結具
【図１】
2007075409.tif 000003
【図２】
2007075409.tif 000004
【図３】
2007075409.tif 000005
【図４】
2007075409.tif 000006